(57)【特許請求の範囲】
【請求項１】
リバース・リンクのパイロットチャネルがゲートされ、フォワード電力制御サブチャネル（Ｆ−ＰＣＳＣＨ）が所定周波数にパンクチャされている、基地局送信電力の節約を移動端末で促す方法において、
前フレームのレートを決定することと、
前記前フレームのレートがしきい値以下であるとの判定に応答して、現フレームが時間的に前フレームに続いているところの当該現フレームが常時オンフレームであるかを判断することと、
前記前フレームのレートがしきい値以下であるとの判定及び前記現フレームが常時オンフレームではないとの判定に応答してフォワード電力制御サブチャネル（Ｆ−ＰＣＳＣＨ）上で受け取られたリバース・リンク電力制御（ＲＬＰＣ）ビットの他のセットの全てを無視すること、
を具備する方法。
【請求項２】
前フレームが０ビット／秒(bps)のフレーム及び１／８レートのフレームの少なくとも１つである請求項１の方法。
【請求項３】
前記無視されるＲＬＰＣビットが前記フレームの第ゼロ番目、第２番目、第４番目及び第６番目のリバース・リンク電力制御（ＲＬＰＣ）ビットのセットである請求項２の方法。
【請求項４】
レート決定アルゴリズム（ＲＤＡ）を使用して前フレームのレートを決定することと、
前記前フレームの終端でパイロット・ゲーティング・パターンを検知することと、
現フレームが常時オンのフレームかどうか判断することと、
前記前フレームの終端での前記パイロット・ゲーティング・パターン、前フレームのレートがしきい値以下であるとの判定及び前記現フレームが常時オンフレームではないとの判定に応答して、前記現フレームを０ビット／秒(bps)のフレームとして分類し、所定周波数にフォワード電力制御サブチャネル（Ｆ−ＰＣＳＣＨ）をパンクチャすることと、
を具備する基地局における送信電力の節約のための方法。
【請求項５】
前記前フレームが０ビット／秒(bps)のフレーム及び１／８レートのフレームの少なくとも１つである請求項４の方法。
【請求項６】
前記予め定められた周波数は２００Ｈｚである請求項５の方法。
【請求項７】
前記フォワード電力制御サブチャネル（Ｆ−ＰＣＳＣＨ）に亘る伝送のために前記現フレームに関連する多数のリバース・リンク電力制御（ＲＬＰＣ）ビットのセットを発生することと、
前記フォワード電力制御サブチャネル（Ｆ−ＰＣＳＣＨ）をパンクチャすることは、前記他の発生されたリバース・リンク電力制御（ＲＬＰＣ）ビットのセットの全てを送信することを具備する請求項４の方法。
【請求項８】
前記他の発生されたリバース・リンク電力制御（ＲＬＰＣ）ビットのセットの全ては、第１番目、第３番目、第５番目及び第７番目のリバース・リンク電力制御（ＲＬＰＣ）ビットのセットを含む請求項７の方法。
【請求項９】
前記現フレームを非０ビット／秒のフレームに分類し、前記フォワード電力制御サブチャネル（Ｆ−ＰＣＳＣＨ）上でのゲーティングを禁止することと、を更に具備する請求項４の方法。
【請求項１０】
プロセッサー及びメモリから構成され、当該メモリが下記の事項を実行するプロセッサーによって実行可能なプログラムコードを含み、リバース・リンクのパイロットチャネルがゲートされ、フォワード電力制御サブチャネル（Ｆ−ＰＣＳＣＨ）が所定周波数にパンクチャされている基地局送信電力の節約を促す移動端末において、前記実施は、
前フレームのレートを決定し、
前記前フレームのレートがしきい値以下であるとの判定に応答して、現フレームが時間的に前フレームに続いているところの当該現フレームが常時オンフレームであるかを判断することと、
前記前フレームのレートがしきい値以下であるとの判定及び前記現フレームが常時オンフレームではないとの判定に応答して、フォワード電力制御サブチャネル（Ｆ−ＰＣＳＣＨ）上で受け取られたリバース・リンク電力制御（ＲＬＰＣ）ビットの他のセットの全てを無視することと、
から構成されている基地局送信電力の節約を促す移動体端末。
【請求項１１】
前フレームが０ビット／秒(bps)のフレーム及び１／８レートのフレームの少なくとも１つである請求項１０の移動体端末。
【請求項１２】
前記無視されるＲＬＰＣビットが前記フレームの第ゼロ番目、第２番目、第４番目及び第6番目のリバース・リンク電力制御（ＲＬＰＣ）ビットのセットである請求項１１の移動体端末。
【請求項１３】
プロセッサー及びメモリから構成され、当該メモリが下記の事項を実行するプロセッサーによって実行可能なプログラムコードを含む送信電力の節約を促す送受信基地局において、前記実施は、
レート決定アルゴリズム（ＲＤＡ）を使用して前フレームのレートを決定し、
この前フレームの終端でパイロット・ゲーティング・パターンを検知することと、
前記現フレームが常時オンのフレームであるかを判断することと、
前記前フレームの終端での前記パイロット・ゲーティング・パターン、前フレームのレートがしきい値以下であるとの判定及び前記現フレームが常時オンフレームではないとの判定に応答して、前記現フレームを０ビット／秒(bps)のフレームに分類し、所定周波数にフォワード電力制御サブチャネル（Ｆ−ＰＣＳＣＨ）をパンクチャすることと、
ことから構成される送信電力の節約を促す送受信基地局。
【請求項１４】
前記前フレームが０ビット／秒(bps)のフレーム及び１／８レートのフレームの少なくとも１つである請求項１３の送受信基地局。
【請求項１５】
前記予め定められた周波数は２００Ｈｚである請求項１４の送受信基地局。
【請求項１６】
前記メモリは、
前記フォワード電力制御サブチャネル（Ｆ−ＰＣＳＣＨ）に亘る伝送のために前記現フレームに関連する多数のリバース・リンク電力制御（ＲＬＰＣ）ビットのセットを発生するコードと、
前記フォワード電力制御サブチャネル（Ｆ−ＰＣＳＣＨ）をパンクチャすることは、前記他の発生されたリバース・リンク電力制御（ＲＬＰＣ）ビットのセットの全てを送信するプログラムコードと、
を具備する請求項１３の送受信基地局。
【請求項１７】
前記他の発生されたリバース・リンク電力制御（ＲＬＰＣ）ビットのセットの全ては、第１番目、第３番目、第５番目及び第７番目のリバース・リンク電力制御（ＲＬＰＣ）ビットのセットを含む請求項１６の送受信基地局。
【請求項１８】
前記現フレームを前記メモリは、非０ビット／秒のフレームに分類し、前記フォワード電力制御サブチャネル（Ｆ−ＰＣＳＣＨ）上でのゲーティングを禁止するプログラムコードを更に具備する請求項１３の送受信基地局。
【請求項１９】
リバース・リンクのパイロットチャネルがゲートされ、フォワード電力制御サブチャネル（Ｆ−ＰＣＳＣＨ）が所定周波数にパンクチャされている基地局送信電力の節約を促す移動端末において、
前フレームのレートを決定する手段と、
前記前フレームのレートがしきい値以下であるとの判定に応答して、現フレームが時間的に前フレームに続いているところの当該現フレームが常時オンフレームであるかを判断する手段と、
前記前フレームのレートがしきい値以下であるとの判定及び前記現フレームが常時オンフレームではないとの判定に応答して、フォワード電力制御サブチャネル（Ｆ−ＰＣＳＣＨ）上で受け取られた他のリバース・リンク電力制御（ＲＬＰＣ）ビットの全てを無視する手段と、
を具備する移動端末。
【請求項２０】
前フレームが０ビット／秒(bps)のフレーム及び１／８レートのフレームの少なくとも１つである請求項１９の移動端末。
【請求項２１】
前記無視されるＲＬＰＣビットが前記フレームの第ゼロ番目、第２番目、第４番目及び第６番目のリバース・リンク電力制御（ＲＬＰＣ）ビットのセットである請求項２０の移動端末。
【請求項２２】
レート決定アルゴリズム（ＲＤＡ）を使用して前フレームのレートを決定する手段と、
前記前フレームの終端でパイロット・ゲーティング・パターンを検知する手段と、
現フレームが常時オンのフレームかどうか判断する手段と、
前記前フレームの終端での前記パイロット・ゲーティング・パターン、前フレームのレートがしきい値以下であるとの判定及び前記現フレームが常時オンフレームではないとの判定に応答して、前記現フレームが０ビット／秒のフレームに分類し、所定周波数にフォワード電力制御サブチャネル（Ｆ−ＰＣＳＣＨ）をパンクチャする手段と、
を具備する送信電力の節約のための送受信基地局。
【請求項２３】
前記前フレームが０ビット／秒(bps)のフレーム及び１／８レートのフレームの少なくとも１つである請求項２２の送受信基地局。
【請求項２４】
前記予め定められた周波数は２００Ｈｚである請求項２３の送受信基地局。
【請求項２５】
前記フォワード電力制御サブチャネル（Ｆ−ＰＣＳＣＨ）に亘る伝送のために前記現フレームに関連する多数のリバース・リンク電力制御（ＲＬＰＣ）ビットのセットを発生する手段と、
前記フォワード電力制御サブチャネル（Ｆ−ＰＣＳＣＨ）をパンクチャする手段は、前記他の発生されたリバース・リンク電力制御（ＲＬＰＣ）ビットの全てを送信する手段を具備する請求項２２の送受信基地局。
【請求項２６】
前記他の発生されたリバース・リンク電力制御（ＲＬＰＣ）ビットのセットの全ては、第１番目、第３番目、第５番目及び第７番目のリバース・リンク電力制御（ＲＬＰＣ）ビットのセットを含む請求項２５の送受信基地局。
【請求項２７】
前記現フレームを非０ビット／秒のフレームに分類する手段と、及び、前記フォワード電力制御サブチャネル（Ｆ−ＰＣＳＣＨ）上でのゲーティングを禁止する手段と、を更に具備する請求項２２の送受信基地局。
【請求項２８】
移動端末におけるコンピュータで実行されるコンピュータ・プログラムを格納するコンピュータ可読記録媒体であって、リバース・リンクのパイロットチャネルがゲートされ、フォワード電力制御サブチャネル（Ｆ−ＰＣＳＣＨ）が所定周波数にパンクチャされている基地局送信電力の節約を促すコンピュータ可読記録媒体において、
前記コンピュータ・プログラムが
前フレームのレートを決定することと、
前記前フレームのレートがしきい値以下であるとの判定に応答して、前記現フレームが時間的に前フレームに続いているところの当該現フレームが常時オンフレームであるかを判断することと、
前記前フレームのレートがしきい値以下であるとの判定及び前記現フレームが常時オンフレームではないとの判定に応答して、フォワード電力制御サブチャネル（Ｆ−ＰＣＳＣＨ）上で受け取られたリバース・リンク電力制御（ＲＬＰＣ）ビットの他のセットの全てを無視することを実行することから構成されるコンピュータ可読記録媒体。
【請求項２９】
送受信基地局のコンピュータで実行されるコンピュータ・プログラムを格納するコンピュータ可読記録媒体において、
前記コンピュータ・プログラムは、
レート決定アルゴリズム（ＲＤＡ）を使用して前フレームのレートを決定することと、
前フレームの終端でパイロット・ゲーティング・パターンを検知することと、
前記現フレームが常時オンのフレームかどうか判断することと、
前記前フレームの終端での前記パイロット・ゲーティング・パターン、前フレームのレートがしきい値以下であるとの判定及び前記現フレームが常時オンフレームではないとの判定に応答して、前記現フレームを０ビット／秒(bps)のフレームに分類し、所定周波数にフォワード電力制御サブチャネル（Ｆ−ＰＣＳＣＨ）をパンクチャすることと、
を実行することから構成されるコンピュータ可読媒体。
【発明の詳細な説明】
【技術分野】
【０００１】
本開示は、一般に無線通信システムにおける送信電力の節約の為の装置および方法に関する。この開示は、特に、ＣＤＭＡ２０００１ｘ無線システムにおけるフォワードリンク電力制御用サブチャネルに対する送信電力の節約に関する。
【０００２】
優先権の主張
この出願は、参照によってこの明細書に明確に組込まれる２００９年２月１６日に出願され、本出願の譲受人に譲渡された送信電力の節約のための方法と装置とタイトルをつけられた仮出願番号６１／１５２，９３２に関する優先権を主張する。
【背景技術】
【０００３】
ＣＤＭＡ２０００  １ｘ  ｒｅｖ．Ｅの規格では、リバースリンク（逆リンク）のパワーコントロールビットは、フォワードリンク上において４００Ｈｚで送信される。フォワード基本チャネル（Ｆ−ＦＣＨ）で時分割多重化されている電力制御ビットは、電力制御サブチャネル（Ｆ−ＰＣＳＣＨ）によって搬送される。Ｆ−ＦＣＨがいかなるレートで送信しても、パワーコントロールビットが適切に復調されることを保証するために、パワーコントロールビットは、常時、フルレート（９６００ビット／秒）のトラフィックチャネルと同一の電力レベルで送信される。さらに、他のセクター干渉を解決するために、移動局（ＭＳ）のアクティブセット・サイズによってパワーコントロールビットの送信電力が押し上げられなければならない。例えば、ＭＳが２のアクティブセット・サイズを有していれば、そのアクティブセット中の両方のセクターからのＦ−ＰＣＳＣＨの送信電力を３ｄＢだけ増加されなければならない。したがって、ＣＤＭＡ２０００  １ｘのフォワードリンク上で送信されるリバース・リンク電力制御（ＲＬＰＣ）ビットは、フォワードリンク送信パワーのかなりの部分を消費することとなる。典型的な設備では、セクターから送信された合計のフォワードリンク・パワーの２０％以上は、Ｆ−ＰＣＳＣＨに費やされる。
【発明の概要】
【０００４】
ここでは、装置及び送信電力の節約のための方法が開示されている。ある１つの態様によれば、基地局送信電力の節約を促す方法は、前フレームのレートを決定することと、現フレームが時間的に前フレームに続いているところの当該現フレームが常時オンフレームであるかを判断することと、（ａ）フォワード電力制御サブチャネル（Ｆ−ＰＣＳＣＨ）上で受け取られた他のリバース・リンク電力制御（ＲＬＰＣ）ビットの全てを無視すること、或いは、（ｂ）フォワード電力制御サブチャネル（Ｆ−ＰＣＳＣＨ）上で受け取られた他のリバース・リンク電力制御（ＲＬＰＣ）ビットの全てを適用すること、のいずれかの１つを実施することと、
を具備する基地局送信電力の節約を促す方法が提供される。
【０００５】
他の態様によれば、レート決定アルゴリズム（ＲＤＡ）を使用して前フレームのレートを決定することと、前記前フレームの終端でパイロット・ゲーティング・パターンを検知することと、前記前フレームのレートをしきい値と比較することと、現フレームが常時オンのフレームかどうか判断することと、この現フレームが０ビット／秒のフレームであると宣言し、所定周波数にフォワード電力制御サブチャネル（Ｆ−ＰＣＳＣＨ）をパンクチャすることと、を具備する無線送受信機における送信電力の節約のための方法が提供される。
【０００６】
他の態様によれば、プロセッサー及びメモリから構成され、当該メモリが下記の事項を実行するプロセッサーによって実行可能なプログラムコードを含む基地局送信電力の節約を促す装置において、前記実施は、前フレームのレートを決定し、
現フレームが時間的に前フレームに続いているところの当該現フレームが常時オンフレームであるかを判断し、（ａ）フォワード電力制御サブチャネル（Ｆ−ＰＣＳＣＨ）上で受け取られた他のリバース・リンク電力制御（ＲＬＰＣ）ビットの全てを無視し、或いは、（ｂ）フォワード電力制御サブチャネル（Ｆ−ＰＣＳＣＨ）上で受け取られた他のリバース・リンク電力制御（ＲＬＰＣ）ビットの全てを適用し、のいずれかの１つを実施し、から構成されている基地局送信電力の節約を促す装置が提供される。
【０００７】
他の態様によれば、プロセッサー及びメモリから構成され、当該メモリが下記の事項を実行するプロセッサーによって，実行可能なプログラムコードを含む送信電力の節約を促す送受信基地局において、前記実施は、レート決定アルゴリズム（ＲＤＡ）を使用して前フレームのレートを決定し、この前フレームの終端でパイロット・ゲーティング・パターンを検知し、前記前フレームのレートをしきい値と比較し、前記現フレームが常時オンのフレームであるかを決定し、前記現フレームが０ビット／秒のフレームであると宣言し、所定周波数にフォワード電力制御サブチャネル（Ｆ−ＰＣＳＣＨ）をパンクチャする、ことから構成される送信電力の節約を促す送受信基地局が提供される。
【０００８】
他の態様によれば、前フレームのレートを決定する手段と、現フレームが時間的に前フレームに続いているところの当該現フレームが常時オンフレームであるかを判断する手段と、（ａ）フォワード電力制御サブチャネル（Ｆ−ＰＣＳＣＨ）上で受け取られた他のリバース・リンク電力制御（ＲＬＰＣ）ビットの全てを無視すること、或いは、（ｂ）フォワード電力制御サブチャネル（Ｆ−ＰＣＳＣＨ）上で受け取られた他のリバース・リンク電力制御（ＲＬＰＣ）ビットの全てを適用することと、のいずれかの１つを実施する手段と、を具備する基地局送信電力の節約を促すための装置が提供される。
【０００９】
他の態様によれば、レート決定アルゴリズム（ＲＤＡ）を使用して前フレームのレートを決定する手段と、前記前フレームの終端でパイロット・ゲーティング・パターンを検知する手段と、前記前フレームのレートをしきい値と比較する手段と、現フレームが常時オンのフレームかどうか判断する手段と、この現フレームが０ビット／秒のフレームであると宣言し、所定周波数にフォワード電力制御サブチャネル（Ｆ−ＰＣＳＣＨ）をパンクチャする手段と、を具備する送信電力の節約のための送受信基地局が提供される。
【００１０】
他の態様によれば、コンピュータ・プログラムを格納するコンピュータ可読媒体において、前記コンピュータ・プログラムの実行は、前フレームのレートを決定することと、現フレームが時間的に前フレームに続いているところの当該現フレームが常時オンフレームであるかを判断することと、（ａ）フォワード電力制御サブチャネル（Ｆ−ＰＣＳＣＨ）上で受け取られた他のリバース・リンク電力制御（ＲＬＰＣ）ビットの全てを無視すること、或いは，（ｂ）フォワード電力制御サブチャネル（Ｆ−ＰＣＳＣＨ）上で受け取られた他のリバース・リンク電力制御（ＲＬＰＣ）ビットの全てを適用すること、のいずれかの１つを実施することと、であるコンピュータ可読媒体が提供される。
【００１１】
他の態様によれば、コンピュータ・プログラムを格納するコンピュータ可読媒体において、前記コンピュータ・プログラムの実行は、レート決定アルゴリズム（ＲＤＡ）を使用して前フレームのレートを決定することと、前フレームの終端でパイロット・ゲーティング・パターンを検知することと、この前フレームのレートをしきい値と比較することと、現フレームが常時オンのフレームかどうか判断することと、この現フレームが０ビット／秒のフレームであると宣言し、所定周波数にフォワード電力制御サブチャネル（Ｆ−ＰＣＳＣＨ）をパンクチャすることと、であるコンピュータ可読媒体が提供される。
【００１２】
この開示の利点は、フォワードリンク上の救済送信電力を含んでも良いことにある。
【００１３】
図示の例として記載され、示されているところの下記の詳細な記載から、当業者にとって容易に明かになる他の実施態様がまたあることも理解すべきである。図面と詳細な記述は、図示の例と見なされるべきで、限定的なものとしてみなされるべきではない。
【図面の簡単な説明】
【００１４】
【図１】２つの端末システムの例を示すブロック図である。
【図２】複数のユーザー装置を支援する無線通信システムの例を示している。
【図３】Ｆ−ＰＣＳＣＨパワー・ゲーティングの例を示している。
【図４】この明細書の開示に従った無線基地局での送信電力の節約のための例示的フロー図を示している。
【図５】フレームタイプを検知する無線基地局（ＢＴＳ）の手順の例示的フロー図を示している。
【図６】この明細書の開示に従った移動局における送信電力の節約のための例示的フロー図をしている。
【図７】無線基地局（ＢＴＳ）のフレーム誤りを解消する移動局（ＭＳ）手順の例示的なフロー図を示している。
【図８】送信電力の節約のプロセスを実行する為にメモリとの間で通信するプロセッサーを含む例示的な装置を示している。
【図９】無線基地局で送信電力の節約に適している例示的な装置９００を示している。
【図１０】移動局で送信電力の節約に適している例示的な装置を示している。
【発明を実施するための形態】
【００１５】
添付された図面に関して下記の詳細な記述は、この出願の開示の種々の態様の記載として意図され、この出願の開示が実行されてもよいとされるただ一つの態様を示すものとして意図されていない。この開示に記述された態様は、夫々単にこの出願の開示の例か実例として提供され、他の態様に対して好ましい或いは効果的なものとして必ずしも解釈されるべきでない。詳細な記載は、この出願の開示についての完全な理解を提供する目的で記述される特定の記述を含んでいる。しかしながら、この出願の開示がこれらの特定の記載なしで実行されてもよいことは当業者において明白である。
【００１６】
いくつかの例示では、よく知られる構造および装置がこの出願の開示の概念を不明瞭にしないようにするためにブロック図の形で示されている。頭文字および他の記述的な用語は単に便宜的に明瞭にする為に使用されても良く、この出願の開示の範囲を制限することは意図していない。説明を単純にする目的のための方法手順が示され、一連の動作として記載されている。この方法手順は、動作の順序で制限されるべきでなく、１又はそれ以上の態様に従っていくつかの動作が生じ、ここに記載され、示されるものとは異なる順序及び・又は同時に動作が生じても良い。例えば、当業者においては、一連の相互関係があった状態あるいは状態図中での出来事として二者択一で方法論を示すことができるかもしれないと理解し、認識することができる。さらに、すべての図示した動作は、１つ以上の態様に従う方法手順を意味するために要求されていると限定されなくともよい。
【００１７】
ここに記述された技術は、符号分割多元接続（符号分割多元接続）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一のキャリアのＦＤＭＡ（ＳＣ−ＦＤＭＡ）ネットワークなどのような様々な無線通信ネットワークに使用されてもよい。「ネットワーク」、「システム」という用語はしばしば交換して使用することができる。符号分割多元接続ネットワークは、ユニバーサルな地球上のラジオ・アクセス（ＵＴＲＡ）、ｃｄｍａ２０００等のような無線技術を意味してもよい。ＵＴＲＡは、広帯域の符号分割多元接続（Ｗ−符号分割多元接続）及び低いチップレート（Low Chip Rate:ＬＣＲ）を含んでいる。Ｃｄｍａ２０００は、ＩＳ−２０００、ＩＳ−９５およびＩＳ−８５６の規格をカバーしている。ＴＤＭＡネットワークは、移動体通信（ＧＳＭ（登録商標））用の広域のシステムのような無線技術を意味してもよい。ＯＦＤＭＡネットワークは、発展したＵＴＲＡ（Evolved UTRA:Ｅ−ＵＴＲＡ）、ＩＥＥＥ  ８０２．１１、ＩＥＥＥ  ８０２．１６、ＩＥＥＥ８０２．２０及びフラッシュＯＦＤＭ（登録商標）等のような無線技術を意味しても良い。ＧＳＭ（登録商標）は、ユニバーサル・モービル・テレコミュニケーション・システム（ＵＭＴＳ）の一部とされる。長期的な発展（Long Term Evolution:ＬＴＥ）は、「第３世代のパートナーシップ・プロジェクト」（３ＧＰＰ）という名の組織からドキュメントに記述される。これらの各種電波技術および標準化規格は、技術的に知られている。
【００１８】
図１は、２つの端末システム１００の例を示すブロック図である。当業者において、図１に示される２つの例示的な端末は、ＦＤＭＡ環境、ＯＦＤＭＡ環境、符号分割多元接続環境、ＷＣＤＭＡ環境、ＴＤＭＡ環境、ＳＤＭＡ環境あるいは他の適切なワイヤレス環境あることを意味することを理解することができる。
【００１９】
１つの態様では、２つの端末システム１００は、アクセスノード１０１（例えば基地局あるいはノードＢ）およびユーザー設備或いはＵＥ  ２０１（例えばユーザ装置）を含んでいる。ダウンリンク行程（downlink leg)では、アクセスノード１０１（例えば、基地局あるいはノードＢ）は、トラフィックデータを受け入れ、フォーマットし、コード化し、インターリーブし、変調し、変調シンボル（例えば、データシンボル）を与える送信（ＴＸ）データ処理装置Ａ  １１０を含んでいる。ＴＸデータ・プロセッサＡ  １１０は、シンボル・モジュレータＡ  １２０と通信状態にある。シンボル・モジュレータＡ  １２０は、データシンボル及びダウンリンク・パイロット・シンボルを受信し、処理し、シンボルのストリームを供給する。１つの態様では、これは、トラフィックデータを変調し（或いは、シンボル・マップし）、変調シンボル（例えば、データシンボル）を供給するシンボル・モジュレータＡ  １２０とされる。１つの態様では、シンボル・モジュレータＡ  １２０は、構成情報を提供するプロセッサーＡ  １８０と通信状態にある。シンボル・モジュレータＡ  １２０は、送信器ユニット（ＴＭＴＲ）と通信状態にある。シンボル・モジュレータＡ  １２０は、データシンボル及びダウンリンク・パイロット・シンボルを多重化し、送信器ユニットＡ  １３０に供給する。
【００２０】
送信されるシンボルはそれぞれ、データシンボル、ダウンリンク・パイロット・シンボル、或いは、零の信号値であっても良い。ダウンリンク・パイロット・シンボルは、各シンボル期間中で連続的に送られても良い。１つの態様では、ダウンリンク・パイロット・シンボルは、周波数分割多重（ＦＤＭ）されている。他の態様では、ダウンリンク・パイロット・シンボルは、直交周波数分割多重（ＯＦＤＭ）されている。また、他の態様では、ダウンリンク・パイロット・シンボルは、符号分割多重（ＣＤＭ）されている。例えば、１つの態様では、送信器ユニットＡ  １３０は、シンボルのストリームを受信し、１つ以上のアナログ信号に変換し、このアナログ信号を整え、増幅し、フィルタし、及び（又は）周波数アップコンバートし、無線送信に適したアナログ・ダウンリンク信号を生成している。その後、このアナログ・ダウンリンク信号は、アンテナ１４０を通して送信される。
【００２１】
ダウンリンク側では、ＵＥ  ２０１（例えば、ユーザ装置）は、アナログ・ダウンリンク信号を受信し、アナログ・ダウンリンク信号をレシーバユニット（ＲＣＶＲ）Ｂ  ２２０に入力するするアンテナ２１０を含んでいる。１つの態様では、レシーバユニットＢ  ２２０は、アナログ・ダウンリンク信号を例えば、フィルタし、増幅し、また、始めに「調整された」信号に周波数ダウンコンバートする。その後、始めに「調整された」信号は、サンプリングされる。レシーバユニットＢ  ２２０は、シンボル復調器Ｂ  ２３０と通信状態にある。シンボル復調器Ｂ  ２３０は、始めに「調整され」、また、「サンプリングされた」信号（例えば、データシンボル）をレシーバユニット２２０から出力する。当業者は、シンボル復調器Ｂ  ２３０においてサンプリング・プロセスを実行する変更が可能であることを理解するであろう。シンボル復調器Ｂ  ２３０はプロセッサーＢ  ２４０と相互通信状態にある。プロセッサーＢ  ２４０は、シンボル復調器Ｂ  ２３０からダウンリンク・パイロット・シンボルを受け、ダウンリンク・パイロット・シンボル上でチャネル推定を行なっている。１つの態様では、チャネル推定は、現在の伝播環境を特徴づけるプロセスでもある。シンボル復調器Ｂ  ２３０は、プロセッサーＢ  ２４０からダウンリンク側に対して周波数応答評価（推定）を受け取ることとなる。ダウンリンク・パス上のデータシンボル評価（推定）は、伝送されるデータシンボルの評価とされる。シンボル復調器Ｂ  ２３０は、さらにＲＸデータ・プロセッサＢ  ２５０と相互通信状態にある。
【００２２】
ＲＸデータ・プロセッサＢ  ２５０は、シンボル復調器Ｂ  ２３０からダウンリンク・パス上のデータシンボル評価を受け取り、例えば、復調（即ち、シンボル・デマップ）し、ディインタリーブ、及び又はダウンリンク・パス上のデータシンボル評価（推定）を解読（デコード）してトラフィックデータを回復する。１つの態様では、シンボル復調器Ｂ  ２３０及びＲＸデータ・プロセッサＢ  ２５０による処理は、夫々、シンボル・モジュレータＡ  １２０及びＴＸデータ・プロセッサＡ  １１０による処理に相補的な関係にある。
【００２３】
アップリンク側では、ＵＥ  ２０１（例えば、ユーザ装置）はＴＸデータ・プロセッサＢ  ２６０を含んでいる。ＴＸデータ・プロセッサＢ  ２６０がトラフィックデータを受け、これを処理してデータシンボルを出力する。ＴＸデータ・プロセッサＢ  ２６０は、シンボル・モジュレータＤ  ２７０と相互通信状態にある。シンボル・モジュレータＤ  ２７０は、アップリンク・パイロット・シンボルを備えたデータシンボルを受け、多重化し、変調を行ない、シンボルのストリームを供給する。１つの態様では、シンボル・モジュレータＤ  ２７０は、構成情報を提供するプロセッサーＢ  ２４０と通信状態にある。シンボル・モジュレータＤ  ２７０は、送信器ユニットＢ  ２８０と通信状態にある。
【００２４】
送信されるシンボルは、夫々データシンボル、アップリンク・パイロット・シンボルあるいは零の信号値であっても良い。アップリンク・パイロット・シンボルは、各シンボル期間中で連続的に送られても良い。１つの態様では、アップリンク・パイロット・シンボルは、周波数分割多重（ＦＤＭ）されている。他の態様では、アップリンク・パイロット・シンボルは、直交周波数分割多重（ＯＦＤＭ）されている。また、他の態様では、アップリンク・パイロット・シンボルは、符号分割多重（ＣＤＭ）されている。例えば、１つの態様では、送信器ユニットＢ  ２８０は、シンボルのストリームを受け、１つ以上のアナログ信号に変換し、調整、例えば、増幅、フィルタ及びまたは周波数アップコンバートして、無線送信に適するアナログ・アップリンク信号を生成している。その後、このアナログ・アップリンク信号は、アンテナ２１０を介して送信される。
【００２５】
ＵＥ  ２０１（例えば、ユーザ装置）からのアナログ・アップリンク信号は、アンテナ１４０によって受信され、レシーバユニットＡ  １５０によって処理されてサンプルを得ている。１つの態様では、レシーバユニットＡ  １５０は、アナログ・アップリンク信号を調整、例えば、フィルタ、増幅、及び、周波数ダウンコンバートして第２の「調整」信号とする。その後、第２の「調整」信号は、サンプリングされる。レシーバユニットＡ  １５０は、シンボル復調器Ｃ  １６０と相互通信状態にある。当業者にとって、シンボル復調器Ｃ  １６０においてサンプリング・プロセスを実行することが可能な変更が可能であると理解することができる。シンボル復調器Ｃ  １６０がデータシンボル上でのデータ復調を行なってアップリンク・パス上でデータシンボル評価（推定）を獲得し、アップリンク・パイロット・シンボル及びアップリンク・パイロット上のデータシンボル評価（推定）をＲＸデータ・プロセッサＡ  １７０へ供給している。アップリンク・パス上のデータシンボル評価は、送信されるデータシンボル評価（推定）とされる。ＲＸデータ・プロセッサＡ  １７０は、アップリンク・パス上のデータシンボル評価を処理して無線通信装置２０１によって送信されたトラフィックデータを回復する。シンボル復調器Ｃ  １６０は、さらにプロセッサーＡ  １８０と相互通信状態にある。プロセッサーＡ  １８０は、アップリンク側で各アクティブターミナル送信に対するチャネル推定を実施する。１つの態様では、パイロット・サブバンド・セットが組み合わせ（インターレース）されても良い場合、多数のターミナルは、パイロット・サブバンドの夫々の割り当てられたセットでアップリンク側にパイロット・シンボルを同時に送信しても良い。
【００２６】
プロセッサーＡ  １８０及びプロセッサーＢ  ２４０がアクセスノード１０１（例えば、基地局或いはノードＢ）及びＵＥ  ２０１（例えば、ユーザ装置）の夫々の動作を指図（即ち、コントロール、調和、或いは、管理等）している。１つの態様では、プロセッサーＡ  １８０及びプロセッサーＢ  ２４０のどちらか或いは両方がプログラムコード及び／又は、データの格納のための１つ以上のメモリユニット（図示されていない）に対応付けられている。１つの態様中で、プロセッサーＡ  １８０、或いは、プロセッサーＢ  ２４０どちらか或いは両方が計算を夫々行ない、夫々アップリンク側及びダウンリンク側に対して周波数及びインパルス応答の評価（推定）を導き出している。
【００２７】
１つの態様では、２つの端末システム１００は、マルチアクセスシステムとされる。マルチ（多重）アクセスシステム（例えば、周波数分割多重アクセス（ＦＤＭＡ）、直交周波数分割多重アクセス（ＯＦＤＭＡ）、符号分割多重接続（符号分割多重接続）、時分割多重アクセス（ＴＤＭＡ）、空間分割多重アクセス等（ＳＤＭＡ））については、多数のターミナルは、複数のＵＥ（例えばユーザ装置）へのアクセスを許可して、アップリンク側で同時に送信する。１つの態様では、マルチアクセスシステムについては、パイロット・サブバンドは様々なターミナル中に共有されても良い。チャネル推定技術は、各ターミナルのパイロット・サブバンドが操作の帯域全体（多分帯域端を除こととなる。）に亘る場合に使用される。このようなパイロット・サブバンド構造は、各ターミナルに対して周波数ダイバーシティを得るのに望ましい。
【００２８】
図２は、複数のユーザー装置をサポートする無線通信システム２９０の例を示している。図２において、参照番号２９２Ｇから２９２Ａは、セルであり、参照番号２９８Ａから２９８Ｇは、基地局（ＢＳ）或いはノードＢｓであり、参照番号２９６Ａから２９６Ｊまでは、アクセスユーザ装置（別名ユーザー設備（ＵＥ））である。セルサイズは、変更されてもよい。様々なアルゴリズム及び方法のうちのどれでも、システム２９０において、送信をスケジュールするために使用されてもよい。システム２９０は、多くのセル２９２Ａ〜２９２Ｇに対する通信を与え、各セル２９２Ａ〜２９２Ｇが対応する基地局２９８Ａ〜２９８Ｇによってはサービスを受けている。
【００２９】
１つの態様中で、リバース基本チャネル（Ｒ−ＦＣＨ）に対する不連続の送信（ＤＴＸ）サポートが可能になり、０ビット／秒のフレームがリバース・リンク上で送信される場合、２００Ｈｚの電力制御のみがゲーティング・パターンに基づいて必要とされる。しかしながら、Ｆ−ＰＣＳＣＨは、依然４００ビット／秒で送信され、また、送信されるＲＬＰＣビットの半分だけが無効とされ、ＭＳの受信機によって無視されている。したがって、送信されたＲＬＰＣビットの５０％は、０ビット／秒のフレーム伝送の間に浪費される。無線基地局（ＢＴＳ）受信機は、０ビット／秒のフレームの送信を検知し、次に、そのリバース・リンクが０ビット／秒で送信しているユーザーに対してＦ−ＰＣＳＣＨパワーを零にセットすることができる。
【００３０】
図３は、Ｆ−ＰＣＳＣＨパワー・ゲーティングの例を示している。１つの態様では、電力制御グループ（ＰＣＧ）は、１２のパワーコントロールビット位置から成り、８００Ｈｚのレートを有している。図３の中で示されるように、デフォルト設定では、Ｆ−ＰＣＳＣＨチャネルは、フォワードリンク中の１６の電力制御グループ（ＰＣＧ）のうちの８つの電力制御グループ（ＰＣＧ）に送信される。しかしながら、破線の矢印によって示されるように、それらのＲＬＰＣビットの半分は、リバース・リンク中でゲートオフ制御される１ペアの電力制御グループ（ＰＣＧ）の始めに適用される。したがって、それらは、ＭＳによって自動的に廃棄されることとなる。０ビット／秒のフレームがリバース・リンク上で送信されたことが検知されると、８つのＦ−ＰＣＳＣＨ送信外の４つのＦ−ＰＣＳＣＨ送信がゲートオフ制御される。このことは、フォワードリンク送信電力において貴重な電力の節約となる。特に、フレーム中の第１番目、第３番目、５番目及び第７番目ＲＬＰＣビットのみが送信されることが必要とされる。
【００３１】
ここでは、無線基地局（ＢＴＳ：ベース送受信局）受信機における０ビット／秒のリバース・リンクフレームを検知する方法が開示されている。パイロット・チャネルのゲーティング・パターンを利用することは、そのような１つの方法である。パイロット・チャネルがゲート制御されているので、２つのＰＣＧのＯＮパターン及び２つのＰＣＧのＯＦＦパターンで、０ビット／秒のフレームに対しては、ＢＴＳ受信機は、ＯＮのＰＣＧとＯＦＦのＰＣＧの間の受信電力の差異を測定し、フレームが０ビット／秒のフレームかどうか判定することができる。従来方式の１つの欠点は、０ビット／秒のフレームの始まり部分で、即ち、ＢＴＳ受信機がこのフレームが０ビット／秒のフレームである決定する前に、ＢＴＳは、依然４００ＨｚでＲＬＰＣビットを送信していることにある。１つの態様では、パイロット・ゲーティング・パターンのみを使用するこの従来方式の信頼性は、いくつかの適用分野には最適ではない。
【００３２】
フォワードリンク電力制御装置サブチャネルに対する送信電力の節約のための他の方法は、マルコフ音源モデル(Markv voice source model)を仮定している。典型的な例では、音声フレームタイプは、マルコフ・プロセスとして確実にモデル化することができる。１つの態様では、マルコフ・プロセスは、有限数の前状態に依存する現在状態によって特定される。０ビット／秒のフレームは、通常バースト・パターン中に現われる。したがって、９５％を越える見込みで、０ビット／秒のフレームに続くフレームは、同様に０ビット／秒のフレームである。したがって、ほとんどの０ビット／秒のフレームは、Ｆ−ＰＣＳＣＨパワーの浪費が僅か或いは浪費なしに、そのフレームの始まりから決定することができる。
【００３３】
図４は、この開示に従った無線基地局（ベース送受信局）での送信電力の節約のための例示に係るフロー図を示している。当業者において、無線基地局（ベース送受信局）の用語は、この開示の趣旨或いは範囲への影響なしに、基地局、ノードＢ、ｅＮｏｄｅＢ等に限定されないように、他の名前によって知られていても良いと容易に理解される。ブロック４１０では、レート決定アルゴリズム（ＲＤＡ）を使用して、前フレームの終端（終わり）において、前フレームのレートを決定し、且つ、パイロット・ゲーティング・パターンを検知する。ブロック４１０に続いて、ブロック４２０においては、前フレームのレートをしきい値と比較する。１つの例では、前フレームのレートは、０ビット／秒或いは１／８レートのフレームのいずれかである。1つの実例では、当業者がこの開示における趣旨或いは範囲に影響を与えずに、例えば、適用パラメータ、設計パラメータ、ユーザー選択等に従ったよってしきい値が変わるかもしれないと理解するところのしきい値にこのレートが比較される。１例において、ブロック４２０において、レートがしきい値よりも小さい場合には、ブロック４３０に進み、ブロック４２０において、レートがしきい値よりも大きい場合には、ブロック４５０に進む。
【００３４】
ブロック４３０では、現フレームが常時オンのフレームかどうかが判断される。もし、現フレームが時間的に前フレームに続くのであれば、
現フレームが常時オンフレームである場合は、ブロック４５０に進む。１つの態様では、常時オンフレームは、０ビット／秒のフレームではない。１例では、全てのＮフレーム外の１つのフレームは、常時オンフレームである。Ｎに対するデフォルト値は、４であり、また、この値は、移動局へシグナリングメッセージによって変更されても良い。ブロック４５０では、非０ビット／秒のフレームを宣言して、フォワード電力制御サブチャネル（Ｆ−ＰＣＳＣＨ）上でのゲーティングが実行されない。当業者がこの開示における趣旨或いは範囲に影響を与えずに、一時的な期間が可変され、適用パラメータ、設計パラメータ、或いは、ユーザー選択等の種々のパラメータに従って決定されることを理解するであろう。
【００３５】
現フレームが常時オンフレームでない場合には、ブロック４４０に進められる。ブロック４４０において、現フレームを０ビット／秒のフレームし、かつ所定周波数にフォワード電力制御サブチャネル（Ｆ−ＰＣＳＣＨ）をパンクチャする。１例においては、予め定められた周波数は、２００Ｈｚである。そして、１例では、第１番目、第３番目、第５番目及び第７番目のＲＬＰＣビットのようなリバース・リンク電力制御（ＲＬＰＣ）ビットの全てを送信する。１例において、現フレームが０ビット／秒のフレームであると一時的に宣言し、所定周波数にフォワード電力制御サブチャネル（Ｆ−ＰＣＳＣＨ）をパンクチャする。適用パラメータ、設計パラメータ或いはユーザー選択等のような様々なパラメータに従って、一時的状態の期間が可変され、決定されることを当業者が現開示の精神(趣旨）或いは範囲に影響せずに理解することができる。
【００３６】
図５は、フレームタイプを検知する無線基地局（ＢＴＳ）手順の例示的フロー図を示している。図５のフロー図は、図４のフロー図の特有な例を示している。ブロック５１０では、レート決定アルゴリズム（ＲＤＡ）を使用してレートを決定し、且つ、前フレームの終端でパイロット・ゲーティング・パターンを検知している。はい(Yes)の場合には、ブロック５２０に進められる。ブロック５２０では、前フレームが０ビット／秒或いは１／８レートのフレームであるかを決定する。はいの場合は、ブロック５３０に進み、現フレームが常時オンフレームかどうか判断する。現フレームが常時オンフレームでない場合には、ブロック５４０に進む。ブロック５４０では、一時的に０ビット／秒のフレームを宣言し、２００Ｈｚ（第１番目、第３番目、第５番目及び第７番目のＲＬＰＣビットの送信のみとする。）にＦ−ＰＣＳＣＨをパンクチャする。ブロック５２０に続いて、前フレームが０ビット／秒或いは１／８レートのフレームでない場合には、ブロック５５０に進む。ブロック５３０に続いて、現フレームが常時オンフレームである場合には、ブロック５５０に進む。ブロック５５０では、一時的に非０ビット／秒のフレームを宣言し、Ｆ−ＰＣＳＣＨ上でゲーティングを行なわない。
【００３７】
基地局では、ＢＴＳ受信機は、レート決定アルゴリズム（ＲＤＡ）及びパイロット・ゲーティング・パターン決定の結果を組み合わせることにより、受信フレームタイプ（０ビット／秒のフレーム或いは非０ビット／秒フレーム）を決定する。しかしながら、フレーム受信に至る遅れまでに、この決定は利用できない。各フレームの初めに、前フレームについての知見のみに基づいた一時的に決定がなされる。例えば、もしそれが常時オンフレーム境界にあるならば、０ビット／秒のフレーム或いは１／８レートのフレームに続くフレームが一時的に０ビット／秒のフレームであると決定される。この一時的な決定に基づいて、Ｆ−ＰＣＳＣＨゲーティングが可能／不可能となる。
【００３８】
０ビット／秒決定アルゴリズムに基づいたマルコフ・モデルの結果の１つの特徴は、非０ビット／秒のフレームが０ビット／秒のフレームに続く場合に、この非０ビット／秒のフレームが一時的に０ビット／秒のフレームとして不正確に決定されても良いということである。したがって、Ｆ−ＰＣＳＣＨは、２００Ｈｚまでゲート降下され、このことが、非０ビット／秒フレームの電力制御の品位低下を引き起こすこととなる。Ｆ−ＰＣＳＣＨが実際にゲートオフされる際に、移動局（ＭＳ）に対してＦ−ＰＣＳＣＨを復調する試みを避けるために、ＢＴＳフレーム誤りを回避するＭＳ手順が続けられる。
【００３９】
図６は、移動局（ＭＳ）での送信電力の節約のための例示的なフロー図を示している。この開示の精神(趣旨）或いは範囲に影響を与えることなく、当業者において、モバイル端末、ユーザー装置、ワイヤレスデバイス等のように、また、これらに限定されず、他の名称によって。移動局の用語が知られていてもよいと理解ことができる。ブロック６１０では、前フレームのレートを決定している。１例においては、前フレームのレートは０ビット／秒或いは１／８レートのフレームのいずれかである。１例において、レートは、しきい値と比較される。当業者においては、現開示の精神或いは範囲に影響を与えずに、しきい値が変わってもよい（例えば、設計パラメータ、出願パラメータ或いはユーザー選択等に従って）と理解されることとなる。
【００４０】
ブロック６１０に続いて、ブロック６２０においては、現フレームが常時オンフレームかが判断される。現フレームは時間的に前フレームに続く。現フレームが常時オンフレームである場合は、ブロック６４０に進められる。ブロック６４０では、フォワード電力制御サブチャネル（Ｆ−ＰＣＳＣＨ）上で受け取られたすべてのリバース・リンク電力制御（ＲＬＰＣ）ビットに適用する。１例においては、ブロック６１０で、前フレームのレートが０ビット／秒或いは１／８レートのフレームのいずれかでない場合、ブロック６４０のステップが実施される。現フレームが常時オンフレームでない場合には、ブロック６３０に進められる。ブロック６３０では、フォワード電力制御サブチャネル（Ｆ−ＰＣＳＣＨ）上で受け取られた他のリバース・リンク電力制御（ＲＬＰＣ）ビットのすべてを無視する。１例においては、無視されるビットは、第０番目、第２番目、第４番目及び６番目のＲＬＰＣビットである。
【００４１】
図７は、無線基地局（ＢＴＳ）フレーム誤りを解消するための移動局（ＭＳ）手順の例示的なフロー図を示している。図７のフロー図は、図６のフロー図における特有の例である。ブロック７１０では、前フレームが０ビット／秒或いは１／８レートのフレームであるかどうかを決定している。もし、ノー（Ｎｏ）の場合は、ブロック７４０に進められる。はい（Ｙｅｓ）の場合には、ブロック７２０に進み、現フレームが常時オンフレームかどうかを決定する。現フレームが常時オンフレームである場合には、ブロック７４０に進む。ブロック７４０では、Ｆ−ＰＣＳＣＨの上で受け取られたすべてのＲＬＰＣコマンドを適用する。現フレームが常時オンフレームでない場合は、ブロック７３０に進む。ブロック７３０では、Ｆ−ＰＣＳＣＨの上で受け取られたＲＬＰＣビット（例えば、第０番目、第２番目、第４番目及び第６番目のＲＬＰＣビット）以外の全てを無視する。
【００４２】
ＭＳは、それが送信するフレームタイプを知っている。ＢＴＳ受信機によって実行される０ビット／秒のフレームの検出に基づくマルコフ・モデルがＭＳに対する先見であるとすれば、０ビット／秒のフレームとして非０ビット／秒のフレームを取り扱うことにより、ＢＴＳが誤りを犯す時をＭＳが知ることとなる。この場合、ＭＳは、Ｆ−ＰＣＳＣＨの上で復調された他のＲＬＰＣビットの全てを無視することとなる。特に、フレームがＭＳによって無視される間、例えば、第０番目、第２番目、第４番目及び第６番目のＲＬＰＣビットは、無視される。
【００４３】
当業者において、この開示の範囲及び精神から離れることなしに、図４、５、６及び７において、例示されたフロー図に示されたステップが交換されても良いことを理解することができる。当業者において、フロー図の中で例証されたステップが排他的でなく、他のステップが含まれても良く、或いは、例示的フロー図の１つのステップ、或いは、それ以上のステップは、この開示の範囲及び精神に影響せずに削除されても良い。
【００４４】
この開示で例示として記述されている様々な図示のコンポーネント、論理ブロック、モジュール、回路及び／又はアルゴリズム・ステップは、電子的ハードウェア、ファームウェア、コンピュータ・ソフトウェア或いは組合せとして実現されてもよいことを当業者は認識することとなる。明白にハードウェア、ファームウェア及びソフトウェアのこの互換性を示すために、様々な実例となるコンポーネント、ブロック、モジュール、回路及び／又はアルゴリズム・ステップは、それらの機能性の点から一般に上記であると説明される。そのような機能性がハードウェアとしてインプリメントされても、ファームウェアまたはソフトウェアは、総合体系に課された特定用途と設計制約に依存している。当業者は、各特定用途の方法を変える際に記述された機能性を実現してもよい。しかし、そのような実現性の決定は、現在の開示の範囲及び精神からの離れても良いと解されるべきでない。
【００４５】
例えば、ハードウェア・インプリメンテーションについては、演算処理装置は、１つ以上の特定用途向けＩＣ（ＡＳＩＣ）の内にインプリメントされてもよく、ディジタル・シグナル・プロセッサ（ＤＳＰ）、ディジタル・シグナル処理装置（ＤＳＰＤ）、プログラマブル・ロジック・デバイス（ＰＬＤ）、フィールド・プログラマブル・ゲートアレイ（ＦＰＧＡ）、プロセッサー、コントローラ、マイクロ・コントローラ（マイクロプロセッサー）、機能を実現する他の電子ユニット或いはそれの組合せで実現することができる。ソフトウェアに関しては、ここに記述された機能を実現するモジュール（例えば手順、関数等）で実現されても良い。ソフトウェア・コードは、記憶装置(メモリ・ユニット）に格納され、処理装置によって実行されても良い。更に、ここに記述された様々な実例となるフロー図、論理ブロック、モジュール及び／又はアルゴリズム・ステップは、現行技術において知られているコンピュータ可読媒体で実行される或いは現行技術で知られているいずれのコンピュータ・プログラム・プロダクト（製品）で実施されるコンピュータ判読可能な命令としてコード化されても良い。
【００４６】
１つ以上の例において、ここに記述されたステップまたは機能は、ハードウェア、ソフトウェア、ファームウェア或いはそれの任意の組合せで実行されても良い。もし、ソフトウェア中で実施されれば、機能は、コンピュータ可読媒体における１つ以上の指示（インストラクション）或いはコードとして格納される、或いは、送信されても良い。コンピュータ判読可能なメディアは、コンピュータ記憶装置メディア、及びある場所から他の場所へコンピュータ・プログラムの転送を促進するあらゆるミディアムを含む通信媒体のいずれも含んでいる。記憶媒体はコンピュータによってアクセスすることができるあらゆる利用可能なメディアかもしれない。一例として、但しこれらに制限されるものではないが、そのようなコンピュータ判読可能なメディアは、ＲＡＭ、ＲＯＭ、ＥＥＰＲＯＭ、ＣＤ−ＲＯＭまたは他の光学ディスク記憶装置、磁気ディスク記憶装置或いは他の磁気記憶装置を含むことができる。或いは、望ましいプログラムコードを命令又はデータ構造の形で搬送或いは格納するために使用することができ、コンピュータによってアクセスすることができる他の媒体であっても良い。どのような接続であっても、適切にコンピュータ可読媒体と名付けられる。例えば、同軸ケーブル、光ファイバーケーブル、ツイストペア、デジタル加入者線（ＤＳＬ）或いは赤外線、ラジオ及びマイクロ波のような無線技術を使用して、ソフトウェアが、ウェブサイト、サーバー或いは他の遠隔出所から送信される場合、同軸ケーブル、光ファイバーケーブル、ツイストペア、ＤＳＬ或いは赤外線、ラジオ及びマイクロ波のような無線技術は、ミディアムの定義に含まれる。磁気的にデータを再生し、或いは、レーザーで光学的にデータを再生しているところの、現在使われているディスク及び盤は、コンパクトディスク（ＣＤ）、レーザー（登録商標）ディスク、光ディスク、ＤＶＤ（ＤＶＤ）、フロッピー（登録商標）・ディスク及びブルーレイ（登録商標）・ディスクを含んでいる。上記のものの組合せもコンピュータ判読可能なメディアの範囲内に含まれているべきである。
【００４７】
１例において、実例となるコンポーネント、フロー図、論理ブロック、モジュール及び／又はここに記述されたアルゴリズム・ステップは、１台以上のプロセッサーで実施或いは実行される。１つの態様では、様々なフロー図、論理ブロック及び／又はここに記述されたモジュールを実施或いは実行するために、プロセッサーは、プロセッサーによって実行されるべきデータ、メタデータ、プログラム命令等を格納するメモリに接続されている。図８は、送信電力の節約のプロセスの実行のためにメモリ８２０とのコミュニケーションでのプロセッサー８１０を含む例示的装置８００を示している。１例において、装置８００は、図４、５、６及び７の中で例証されたアルゴリズムを実行するために使用される。１つの態様では、メモリ８２０は、プロセッサー８１０内にある。他の態様では、メモリ８２０は、プロセッサー８１０の外にある。１つの態様では、プロセッサーは、様々なフロー図、論理ブロック及び／又はここに記述されたモジュールを実施するために回路類を含んでいる。
【００４８】
図９は、無線基地局において送信電力の節約に適している例示的装置９００を示している。１つの態様では、装置９００は、ブロック９１０、９２０、９３０、９４０及び９５０として、ここに記述されるような送信電力の節約の異なる態様を提供するように構成される１つ以上のモジュールを含む少なくとも１つのプロセッサーによって実現される。例えば、モジュールは、夫々についてハードウェア、ファームウェア、ソフトウェア或いは任意の組合せを含む。１つの態様では、装置９００も、少なくとも１台のプロセッサーと通信される少なくとも１つのメモリによって実現される。
【００４９】
図１０は、移動局で送信電力の節約に適している例示装置１０００を示している。１つの態様では、装置１０００は、ブロック１０１０、１０２０、１０３０及び１０４０として、ここに記述されるような送信電力の節約の異なる態様を提供するように構成される１つ以上のモジュールを含む少なくとも１つのプロセッサーによって実現される。例えば、モジュールは、夫々についてハードウェア、ファームウェア、ソフトウェア或いは任意の組合せを含む。１つの態様では、装置１０００も、少なくとも１台のプロセッサーと通信される少なくとも１つのメモリによって実現される。
【００５０】
図示された態様の上述した記載は、いずれの当業者あっても現開示で実現し、使用することを可能にするために提供される。これらの態様への様々な修正は当業者において容易に実現できることは明かであり、この開示の趣旨或いは範囲から外れことなしに、ここに定義された一般原則は、他の態様に適用されても良い。
以下に本件出願当初の特許請求の範囲に記載された発明を付記する。
［１］  前フレームのレートを決定することと、
現フレームが時間的に前フレームに続いているところの当該現フレームが常時オンフレームであるかを判断することと、
（ａ）フォワード電力制御サブチャネル（Ｆ−ＰＣＳＣＨ）上で受け取られた他のリバース・リンク電力制御（ＲＬＰＣ）ビットの全てを無視すること、或いは
（ｂ）フォワード電力制御サブチャネル（Ｆ−ＰＣＳＣＨ）上で受け取られた他のリバース・リンク電力制御（ＲＬＰＣ）ビットの全てを適用すること、
のいずれかの１つを実施することと、
を具備する基地局送信電力の節約を促す方法。
［２］  現フレームが常時オンのフレームではない［１］の方法。
［３］  前フレームのレートが０ビット／秒或いは１／８レートのフレームのいずれかである［２］の方法。
［４］  前記無視されるＲＬＰＣビットが第ゼロ番目、第２番目、第４番目及び第6番目のリバース・リンク電力制御（ＲＬＰＣ）ビットである［３］の方法。
［５］  レート決定アルゴリズム（ＲＤＡ）を使用して前フレームのレートを決定することと、
前記前フレームの終端でパイロット・ゲーティング・パターンを検知することと、
前記前フレームのレートをしきい値と比較することと、
現フレームが常時オンのフレームかどうか判断することと、
この現フレームが０ビット／秒のフレームであると宣言し、所定周波数にフォワード電力制御サブチャネル（Ｆ−ＰＣＳＣＨ）をパンクチャすることと、
を具備する無線送受信機における送信電力の節約のための方法。
［６］  前記前フレームのレートが０ビット／秒或いは１／８レートのフレームのいずれかである［５］の方法。
［７］  前記予め定められた周波数は２００Ｈｚである［６の方法。
［８］  前記他のリバース・リンク電力制御（ＲＬＰＣ）ビットの全てを送信することを更に具備する［５］の方法。
［９］  前記他のリバース・リンク電力制御（ＲＬＰＣ）ビットの全ては、第１番目、第３番目、第５番目及び第７番目のリバース・リンク電力制御（ＲＬＰＣ）ビットを含む［８］の方法。
［１０］  非０ビット／秒のフレームを宣言し、前記フォワード電力制御サブチャネル（Ｆ−ＰＣＳＣＨ）上でのゲーティングを行なわないことと、を更に具備する［５］の方法。
［１１］  プロセッサー及びメモリから構成され、当該メモリが下記の事項を実行するプロセッサーによって実行可能なプログラムコードを含む基地局送信電力の節約を促す装置において、前記実施は、
前フレームのレートを決定し、
現フレームが時間的に前フレームに続いているところの当該現フレームが常時オンフレームであるかを判断し、
（ａ）フォワード電力制御サブチャネル（Ｆ−ＰＣＳＣＨ）上で受け取られた他のリバース・リンク電力制御（ＲＬＰＣ）ビットの全てを無視し、或いは
（ｂ）フォワード電力制御サブチャネル（Ｆ−ＰＣＳＣＨ）上で受け取られた他のリバース・リンク電力制御（ＲＬＰＣ）ビットの全てを適用し、
のいずれかの１つを実施し、
から構成されている基地局送信電力の節約を促す装置。
［１２］    現フレームが常時オンのフレームではない［１１］の装置。
［１３］    前フレームのレートが０ビット／秒或いは１／８レートのフレームのいずれかである［１２］の装置。
［１４］  前記無視されるＲＬＰＣビットが第ゼロ番目、第２番目、第４番目及び第6番目のリバース・リンク電力制御（ＲＬＰＣ）ビットである［１３］の装置。
［１５］  プロセッサー及びメモリから構成され、当該メモリが下記の事項を実行するプロセッサーによって実行可能なプログラムコードを含む送信電力の節約を促す送受信基地局において、前記実施は、
レート決定アルゴリズム（ＲＤＡ）を使用して前フレームのレートを決定し、
この前フレームの終端でパイロット・ゲーティング・パターンを検知し、
前記前フレームのレートをしきい値と比較し、
前記現フレームが常時オンのフレームであるかを決定し、
前記現フレームが０ビット／秒のフレームであると宣言し、所定周波数にフォワード電力制御サブチャネル（Ｆ−ＰＣＳＣＨ）をパンクチャする、
ことから構成される送信電力の節約を促す送受信基地局。
［１６］  前記前フレームのレートが０ビット／秒或いは１／８レートのフレームのいずれかである［１５］の送受信基地局。
［１７］  前記予め定められた周波数は２００Ｈｚである［１６］の送受信基地局。
［１８］  前記メモリは、前記他のリバース・リンク電力制御（ＲＬＰＣ）ビットの全てを送信するプログラムコードを更に具備する［１５］の送受信基地局。
［１９］  前記他のリバース・リンク電力制御（ＲＬＰＣ）ビットの全ては、第１番目、第３番目、第５番目及び第７番目のリバース・リンク電力制御（ＲＬＰＣ）ビットを含む［１８］の送受信基地局。
［２０］  前記メモリは、非０ビット／秒のフレームを宣言し、前記フォワード電力制御サブチャネル（Ｆ−ＰＣＳＣＨ）上でのゲーティングを行なわないプログラムコードを更に具備する［１５］の送受信基地局。
［２１］  前フレームのレートを決定する手段と、
現フレームが時間的に前フレームに続いているところの当該現フレームが常時オンフレームであるかを判断する手段と、
（ａ）フォワード電力制御サブチャネル（Ｆ−ＰＣＳＣＨ）上で受け取られた他のリバース・リンク電力制御（ＲＬＰＣ）ビットの全てを無視すること、或いは
（ｂ）フォワード電力制御サブチャネル（Ｆ−ＰＣＳＣＨ）上で受け取られた他のリバース・リンク電力制御（ＲＬＰＣ）ビットの全てを適用することと、
のいずれかの１つを実施する手段と、
を具備する基地局送信電力の節約を促すための装置。
［２２］  現フレームが常時オンのフレームではない［２１］の装置。
［２３］  前フレームのレートが０ビット／秒或いは１／８レートのフレームのいずれかである［２２］の装置。
［２４］  前記無視されるＲＬＰＣビットが第ゼロ番目、第２番目、第４番目及び第6番目のリバース・リンク電力制御（ＲＬＰＣ）ビットである［２３］の装置。
［２５］  レート決定アルゴリズム（ＲＤＡ）を使用して前フレームのレートを決定する手段と、
前記前フレームの終端でパイロット・ゲーティング・パターンを検知する手段と、
前記前フレームのレートをしきい値と比較する手段と、
現フレームが常時オンのフレームかどうか判断する手段と、
この現フレームが０ビット／秒のフレームであると宣言し、所定周波数にフォワード電力制御サブチャネル（Ｆ−ＰＣＳＣＨ）をパンクチャする手段と、
を具備する送信電力の節約のための送受信基地局。
［２６］  前記前フレームのレートが０ビット／秒或いは１／８レートのフレームのいずれかである［２５］の送受信基地局。
［２７］  前記予め定められた周波数は２００Ｈｚである［２６］の送受信基地局。
［２８］  前記他のリバース・リンク電力制御（ＲＬＰＣ）ビットの全てを送信することを更に具備する［２５］の送受信基地局。
［２９］  前記他のリバース・リンク電力制御（ＲＬＰＣ）ビットの全ては、第１番目、第３番目、第５番目及び第７番目のリバース・リンク電力制御（ＲＬＰＣ）ビットを含む［２８］の送受信基地局。
［３０］  非０ビット／秒のフレームを宣言する手段と、及び、前記フォワード電力制御サブチャネル（Ｆ−ＰＣＳＣＨ）上でのゲーティングを行なわない手段と、を更に具備する［１５］の送受信基地局。
［３１］  コンピュータ・プログラムを格納するコンピュータ可読媒体において、
前記コンピュータ・プログラムの実行は、
前フレームのレートを決定することと、
現フレームが時間的に前フレームに続いているところの当該現フレームが常時オンフレームであるかを判断することと、
（ａ）フォワード電力制御サブチャネル（Ｆ−ＰＣＳＣＨ）上で受け取られた他のリバース・リンク電力制御（ＲＬＰＣ）ビットの全てを無視すること、或いは
（ｂ）フォワード電力制御サブチャネル（Ｆ−ＰＣＳＣＨ）上で受け取られた他のリバース・リンク電力制御（ＲＬＰＣ）ビットの全てを適用すること、
のいずれかの１つを実施することと、
であるコンピュータ可読媒体。
［３２］  コンピュータ・プログラムを格納するコンピュータ可読媒体において、
前記コンピュータ・プログラムの実行は、
レート決定アルゴリズム（ＲＤＡ）を使用して前フレームのレートを決定することと、
前フレームの終端でパイロット・ゲーティング・パターンを検知することと、
この前フレームのレートをしきい値と比較することと、
現フレームが常時オンのフレームかどうか判断することと、
この現フレームが０ビット／秒のフレームであると宣言し、所定周波数にフォワード電力制御サブチャネル（Ｆ−ＰＣＳＣＨ）をパンクチャすることと、
であるコンピュータ可読媒体。
【図１】
0005329679.tif 000002
【図２】
0005329679.tif 000003
【図３】
0005329679.tif 000004
【図４】
0005329679.tif 000005
【図５】
0005329679.tif 000006
【図６】
0005329679.tif 000007
【図７】
0005329679.tif 000008
【図８】
0005329679.tif 000009
【図９】
0005329679.tif 000010
【図１０】
0005329679.tif 000011